(57)【要約】    【課題】  定期使用の非接触式券媒体及び短期使用の非接触式券媒体の使用を可能とすると共に短期使用の非接触式券媒体の回収効率を向上する。    【解決手段】  無線通信機能を備えたＩＣカードやＩＣトークンとの間で通信してデータの授受を行い、そのデータに基づいてドアを開閉制御する非接触式ゲート装置であって、定期利用及び一時利用のＩＣカードやＩＣトークンのデータを読み取り可能な第１のデータ読取手段１と、投入口から投入された一時利用のＩＣトークンのデータを読み取る第２のデータ読取手段２と、前記第１及び第２のデータ読取手段１，２の読取りデータに基づいてドアを開閉制御するドア制御手段及び、前記第２のデータ読取手段２の読取データに基づいて回収すべきと判定した前記一時利用のＩＣトークンの回収動作を制御する回収制御手段の機能を備えた制御手段６と、を備える構成とした。【選択図】      図２
2006243836.tif 000002
【特許請求の範囲】
【請求項１】
無線通信機能を備えた非接触式券媒体との間で通信してデータの授受を行い、そのデータに基づいてドアを開閉制御する非接触式ゲート装置であって、
定期利用及び一時利用の非接触式券媒体のデータを読み取り可能なデータ読取手段と、
前記データ読取手段が回収すべき一時利用の非接触式券媒体のデータを読み取ったときには、当該回収すべき一時利用の非接触式券媒体の回収を条件に前記ドアを開状態に制御するドア制御手段と、
前記データ読取手段の読取データに基づいて回収すべきと判定した前記一時利用の非接触式券媒体の回収動作を制御する回収制御手段と、
を備える構成としたことを特徴とする非接触式ゲート装置。
【請求項２】
前記データ読取手段は、定期利用及び一時利用の非接触式券媒体のデータを読み取り可能な第１のデータ読取手段と、投入口から投入された一時利用の非接触式券媒体のデータを読み取る第２のデータ読取手段とを備える構成であり、
前記ドア開閉制御手段は、前記第２のデータ読取手段が前記回収すべき一時利用の非接触式券媒体のデータを読み取ったときに前記ドアを閉状態に制御する構成であることを特徴とする請求項１に記載の非接触式ゲート装置。
【請求項３】
前記回収制御手段は、前記第２のデータ読取手段の読取データに基づいて回収すべきと判定した前記一時利用の非接触式券媒体以外の投入物を返却制御することを特徴とする請求項２に掲載の非接触式ゲート装置。
【請求項４】
前記ドア制御手段は、前記第１のデータ読取手段で少なくとも回収すべき一時利用の非接触式券媒体のデータを読み取ったときにドアを閉状態に制御することを特徴とする請求項２又は３に記載の非接触式ゲート装置。
【請求項５】
前記回収すべき一時利用の非接触式券媒体は、一回の使用に限定された利用券、又は有効利用回数が最後の一回となった回数券であることを特徴とする請求項４に記載の非接触式ゲート装置。
【請求項６】
前記ドア制御手段は、前記第２のデータ読取手段で返却すべき一時利用の非接触式券媒体のデータを読み取ったときにドアを閉状態に制御することを特徴とする請求項４に記載の非接触式ゲート装置。
【請求項７】
前記返却すべき一時利用の非接触式券媒体は、二回以上の有効利用回数が残っている回数券であることを特徴とする請求項６に記載の非接触式ゲート装置。
【請求項８】
前記ドア制御手段は、前記第１のデータ読取手段が前記定期利用の非接触式券媒体のデータと前記一時利用の非接触式券媒体のデータとを同時に読み取ったときには、いずれか一方のデータに基づいてドアを開閉制御することを特徴とする請求項２〜７のいずれか１項に記載の非接触式ゲート装置。
【請求項９】
前記第１のデータ読取手段が回収すべき一時利用の非接触式券媒体のデータ読み取ったとき、又は前記第２のデータ読取手段が返却すべき一時利用の非接触式券媒体のデータを読み取ったときに警告する警告手段を備えたことを特徴とする請求項２〜８のいずれか１項に記載の非接触式ゲート装置。
【請求項１０】
前記警告手段は、前記投入口に回収すべき一時利用の非接触式券媒体以外の投入物が投入されたときに警告することを特徴とする請求項９に記載の非接触式ゲート装置。
【請求項１１】
前記投入口、第２のデータ読取手段及び回収すべき一時利用券を回収する回収手段を備えた一時利用の非接触式券媒体の処理ユニットは、装置本体に対して着脱可能な構成としたことを特徴とする請求項２〜１０のいずれか１項に記載の非接触式ゲート装置。
【請求項１２】
前記定期利用の非接触式券媒体はＩＣカードであり、前記一時利用の非接触式券媒体はＩＣトークンであることを特徴とする請求項１〜１１のいずれか１項に記載の非接触式ゲート装置。
【発明の詳細な説明】
【技術分野】
【０００１】
本発明は、無線通信機能を備えた非接触式券媒体との間で通信してデータの授受を行い、そのデータに基づいてドアを開閉制御する非接触式ゲート装置に関し、特に、定期利用及び一時利用の非接触式券媒体のいずれも使用でき、一時利用の非接触式券媒体の回収効率を向上した非接触式ゲート装置に関する。
【背景技術】
【０００２】
従来の非接触式ゲート装置は、例えば鉄道交通等において非接触で自動改札が行われるようにした非接触式自動改札システムに利用されており、無線通信機能を備えた非接触式券媒体であるＩＣカードとの間で通信してデータの授受を行い、そのデータに基づいてドアを開閉するようになっている（例えば、特許文献１参照）。しかし、このようなＩＣカードは、接触式の磁気式券媒体に比べて製造コストが高いため、一回だけ使用可能な普通乗車券や回数券等の比較的短期間で使用される一時利用券には、運用コストがかさんで実現できておらず、一般に定期券等の長期使用券に使用されているのみである。
【０００３】
一方、非接触式の一時利用券の使用を可能とした非接触式ゲート装置としては、上記一時利用券をコイン状に形成したＩＣトークンとし、このＩＣトークンを装置本体内に回収して繰り返し使用できるようすることも提案されている（例えば、特許文献２参照）。
【特許文献１】特開２００４−０３８４５３号公報
【特許文献２】特開２００４−３１０３２３号公報
【発明の開示】
【発明が解決しようとする課題】
【０００４】
しかし、このような従来の非接触式ゲート装置においては、非接触式の定期利用券と一時利用券の両方を使用できるようにしたものは提案されていない。ここで、上記特許文献１に記載の非接触式ゲート装置に上記特許文献２に記載の非接触式ゲート装置の機能を組み入れることも考えられるが、ＩＣカードのデータを読み取るデータ読取手段及びＩＣトークンのデータを読み取るデータ読取手段の機能は同じであるため、ＩＣトークンのデータをＩＣカードのデータ読取手段で読み取らせてゲートを開かせ、入場又は退場することも可能であり、この場合、ＩＣトークンの回収が困難となる。
【０００５】
そこで、本発明は上記問題点に着目してなされたもので、定期利用の非接触式券媒体及び一時利用の非接触式券媒体の使用を可能とすると共に一時利用の非接触式券媒体の回収効率を向上した非接触式ゲート装置を提供することを目的とする。
【課題を解決するための手段】
【０００６】
このために、請求項１の発明は、無線通信機能を備えた非接触式券媒体との間で通信してデータの授受を行い、そのデータに基づいてドアを開閉制御する非接触式ゲート装置であって、定期利用及び一時利用の非接触式券媒体のデータを読み取り可能なデータ読取手段と、前記データ読取手段が回収すべき一時利用の非接触式券媒体のデータを読み取ったときには、当該回収すべき一時利用の非接触式券媒体の回収条件に前記ドアを開状態に制御するドア制御手段と、前記データ読取手段の読取データに基づいて回収すべきと判定した前記一時利用の非接触式券媒体の回収動作を制御する回収制御手段と、を備える構成とした。
【０００７】
このような構成により、無線通信機能を備えた非接触式券媒体との間で通信してデータ読取手段で定期利用及び一時利用の非接触式券媒体のデータを読み取り、ドア制御手段で上記データ読取手段が回収すべき一時利用の非接触式券媒体のデータを読み取ったときには、当該回収すべき一時利用の非接触式券媒体の回収を条件にドアを開状態に制御し、回収制御手段で上記データ読取手段の読取データに基づいて回収すべきと判定した上記一時利用の非接触式券媒体の回収動作を制御する。
【０００８】
本発明は具体的には、請求項２のように、前記データ読取手段は、定期利用及び一時利用の非接触式券媒体のデータを読み取り可能な第１のデータ読取手段と、投入口から投入された一時利用の非接触式券媒体のデータを読み取る第２のデータ読取手段とを備える構成であり、前記ドア開閉制御手段は、前記第２のデータ読取手段が前記回収すべき一時利用の非接触式券媒体のデータを読み取ったときに前記ドアを閉状態に制御する構成である。この場合、請求項３のように、前記回収制御手段は、前記第２のデータ読取手段の読取データに基づいて回収すべきと判定した前記一時利用の非接触式券媒体以外の投入物を返却制御するものとしてもよい。
【０００９】
また、ドア制御手段は、請求項４のように前記第１のデータ読取手段で少なくとも回収すべき一時利用の非接触式券媒体のデータを読み取ったときにドアを閉状態に制御するとよい。この場合、前記回収すべき一時利用の非接触式券媒体は、請求項５のように一回の使用に限定された利用券、又は有効利用回数が最後の一回となった回数券とするとよい。
【００１０】
また、前記ドア制御手段は、請求項６のように前記ドア制御手段は、前記第２のデータ読取手段で返却すべき一時利用の非接触式券媒体のデータを読み取ったときにドアを閉状態に制御してもよい。この場合、前記返却すべき一時利用の非接触式券媒体は、請求項７のように二回以上の有効利用回数が残っている回数券とするとよい。
【００１１】
また、請求項８のように、前記ドア制御手段は、前記第１のデータ読取手段が前記定期利用の非接触式券媒体のデータと前記一時利用の非接触式券媒体のデータとを同時に読み取ったときには、いずれか一方のデータに基づいてドアを開閉制御するものとしてもよい。
【００１２】
請求項９の構成の場合においては、前記第１のデータ読取手段が回収すべき一時利用の非接触式券媒体のデータを読み取ったとき、又は前記第２のデータ読取手段が返却すべき一時利用の非接触式券媒体のデータ読み取ったときに警告する警告手段を備えた。この場合、前記警告手段は、請求項１０にように前記投入口に回収すべき一時利用の非接触式券媒体以外の投入物が投入されたときに警告するものとするとよい。
【００１３】
また、請求項１１のように、前記投入口、第２のデータ読取手段及び回収すべき一時利用券を回収する回収手段とを備えた一時利用の非接触式券媒体の処理ユニットは、装置本体に対して着脱可能な構成としてもよい。そして、請求項１２のように、前記定期利用の非接触式券媒体はＩＣカードであり、前記一時利用の非接触式券媒体はＩＣトークンであってもよい。
【発明の効果】
【００１４】
本発明の非接触式ゲート装置によれば、定期利用及び一時利用の非接触式券媒体のデータを読み取り可能なデータ読取手段が回収すべき一時利用の非接触式券媒体のデータを読み取ったときには、当該回収すべき一時利用の非接触式券媒体の回収を条件にドアを開状態に制御するものとしたことにより、一台で定期利用及び一時利用の非接触式券媒体のいずれも使用することができる。
【００１５】
また、第１のデータ読取手段で定期利用及び一時利用の非接触式券媒体のデータを読み取り、第２のデータ読取手段で投入口から投入された一時利用の非接触式券媒体のデータを読み取り、第２のデータ読取手段の読取データに基づいて回収すべきと判定された一時利用の非接触式券媒体の回収動作を制御するものとしたことにより、一時利用の非接触式券媒体を容易に回収することができる。したがって、一時利用の非接触式券媒体をリサイクル利用することができ、この非接触式券媒体のコストを低減することができる。
【００１６】
また、第２のデータ読取手段の読取データに基づいて返却すべきと判定された一時利用の非接触式券媒体の返却動作を制御するものとすれば、例えば有効利用回数の残った回数券が投入されたとき利用者に返却することができる。
【００１７】
さらに、第１のデータ読取手段で回収すべき一時利用の非接触式券媒体のデータを読み取ったときにドアを閉状態に制御するものとすれば、例えば一回の使用に限定された利用券、又は有効利用回数が最後の一回となった回数券の一時利用の非接触式券媒体が回収されぬまま利用者がそれを持ってゲートを通過するのを防止することができる。したがって、一時利用の非接触式券媒体の回収効率を向上することができる。
【００１８】
または、第２のデータ読取手段で返却すべき一時利用の非接触式券媒体のデータを読み取ったときにドアを閉状態に制御するものとすれば、例えば二回以上の有効利用回数が残っている回数券の一時利用の非接触式券媒体の取り忘れを防止することができる。
【００１９】
また、第１のデータ読取手段が定期利用の非接触式券媒体のデータと一時利用の非接触式券媒体のデータとを同時に読み取ったときには、いずれか一方のデータに基づいてドアを開閉制御するものとすれば、装置の誤動作を防止することができる。
【００２０】
さらに、第１のデータ読取手段が回収すべき一時利用の非接触式券媒体のデータ読み取ったとき、又は前記第２のデータ読取手段が返却すべき一時利用の非接触式券媒体のデータを読み取ったときに警告する警告手段を備えれば、利用者に非接触式券媒体の誤った使用を知らせることができ、速やかな対処が可能となる。
【００２１】
また、投入口に回収すべき一時利用の非接触式券媒体以外の投入物、例えばコイン等が投入されたときに警告手段が警告するものとすれば、一時利用の非接触式券媒体とコインとの取り違えを利用者に速やかに知らせることができる。
【００２２】
さらに、投入口、第２のデータ読取手段及び回収すべき一時利用券を回収する回収手段を備えた一時利用の非接触式券媒体の処理ユニットは、装置本体に対して着脱可能な構成とすれば、一時利用の非接触式券媒体を回収する必要のないゲートに適用する場合は、上記処理ユニットを取り外せばよく、定期利用の非接触式券媒体だけを使用するシステムや回収を必要のない一時利用の非接触媒体を使用するシステムに容易に転用することができる。
【発明を実施するための最良の形態】
【００２３】
以下、本発明の実施の形態を添付図面に基づいて詳細に説明する。
図１に、本発明に係る非接触式ゲート装置の実施形態の平面図を示し、図２に図１のＡ−Ａ線矢視図を示し、図３に図１の側面図を示す。
図１において、本実施形態の非接触式ゲート装置は、非接触式券媒体との間で通信してデータの授受を行い、そのデータに基づいてドアを開閉制御するものであり、第１のデータ読取手段１と、第２のデータ読取手段２と、回収手段３と、警告手段４と、ドア５と、制御手段６と、を備えて構成する。
【００２４】
第１のデータ読取手段１は、図１に示すように、装置本体７Ａの上面にて入場又は退場方向手前側に設けられている。この第１のデータ読取手段１は、無線通信機能を備えた非接触式券媒体である定期利用のＩＣカード及び一時利用、例えば一回だけ使用可能な券や回数券等のＩＣトークンのデータを読み取ることができるものであり、装置本体７Ａの最表面側には、図４に示すように第１のデータ読取手段１に接続してアンテナ８が設けられている。このアンテナ８は、上方にかざされた又はタッチされたＩＣカード及びＩＣトークンとデータの授受を行う機能と、ＩＣカード及びＩＣトークンに電力を供給する機能を有するものである。
【００２５】
上記第１のデータ読取手段１の入場又は退場方向手前側には、ＩＣトークンの処理ユニットに組み込まれて上記第２のデータ読取手段２が設けられている。この第２のデータ読取手段２は、処理ユニットに設けられた投入口９から投入されたＩＣトークンのデータを読み取るものであり、図５に示すように上記投入口９から処理ユニット内を下方に延びるガイド通路１０に面して設けられており、そのガイド通路１０側の最表面に上記ＩＣトークンとデータの授受を行うと共にＩＣトークンに電力を供給する機能を有するアンテナ１１を接続して備えている（図４参照）。なお、上記第２のデータ読取手段２は、投入口９にＩＣトークン等が投入されたことを検知する図示省略の投入検知センサーを含むものである。
【００２６】
上記ガイド通路１０の下方には、回収手段３が設けられている。この回収手段３は、投入口９から投入されたＩＣトークンを回収するものであり、図５に示すように上記第２のデータ読取手段２の下側に上記ガイド通路１０を横断して矢印Ｂ，Ｃ方向に開閉する第１のシャッター１２と、回収されたＩＣトークンを貯留する回収箱１３とを備えている。この第１のシャッター１２は、投入口９から投入されたＩＣトークンを第２のデータ読取手段２のアンテナ１１近傍に停止させて、ＩＣトークンのデータを第２のデータ読取手段２で読み取り可能とするためのものである。
【００２７】
また、回収箱１３に回収されたＩＣトークンは、図２に示すように、処理ユニットのゲート側の側面に設けた扉１４を開けて取り出すことができるようになっている。なお、図５に示すように、上記第２のデータ読取手段２の近傍部にて上記ガイド通路１０の側壁には、矢印Ｄ，Ｅで示す上下方向に開閉する第２のシャッター１５が設けられており、まだ有効利用回数の残っている回数券のＩＣトークンやコイン等が投入口９に投入されて、制御手段６により無効判定となったときに該第２のシャッター１５を開いて返却口１６に返却できるようにしている。
【００２８】
そして、上記投入口９と第２のデータ読取手段２と回収手段３とを備えてＩＣトークンの上記処理ユニットを構成しており、この処理ユニットは、装置本体７Ａに着脱可能に取り付けられている。
【００２９】
なお、第１のシャッター１２を斜めに設ければコイン状のＩＣトークンやコインは、上記第１のシャッター１２上を転がって返却口１６側に容易に返却される。また、上記第１のシャッター１２及び第２のシャッター１５は、図４に示す第１のシャッター駆動部１７及び第２のシャッター駆動部１８によってそれぞれ駆動されるようになっている。
【００３０】
上記装置本体７Ａには、警告手段４が設けられている。この警告手段４は、制御手段６が無効判定したときに利用者にＩＣカードやＩＣトークンの誤った使用を知らせるためのものであり、図１及び図２に示すように表示パネル１９と、表示部２０と、スピーカ部２１とを備えている。
【００３１】
図３に示すように、上記表示パネル１９は、上端部を円弧状に形成した例えば透明アクリル板からなり、装置本体７Ａの上面側端部にて入場又は退場方向の前後に分離して二つが立設されており、そのゲート側と反対側の面を乱反射加工し、その下端面部に交互に直線状に並べて配設された赤と青のＬＥＤ２２（図４参照）の光を乱反射させて発光色が容易に視認できるようにしている。また、上記表示部２０は、図１に示すように、装置本体７Ａの上面に設けられており、文字を表示して利用者に警告内容を知らせることができるようにしている。そして、図２に示すように、上記スピーカ部２１は、装置本体７Ａのゲート側側面に設けられており、利用者にチャイム又は音声で警告できるようにしている。
【００３２】
上記装置本体７Ａのゲート側側面の中央部には、該側面に対して垂直方向に延びてドア５が設けられている。このドア５は、上記装置本体７Ａの側面の回転軸周りに９０度回動してゲートを開閉するものであり、上記第１のデータ読取手段１又は第２のデータ読取手段２で読み取った上記ＩＣカード又はＩＣトークンのデータに基づいて制御手段６で制御されて、図４に示すドア駆動部２３によって駆動されるようになっている。なお、ドア５は１８０度回動可能で、回転軸を中心に両側に開動作可能に構成されている。
【００３３】
また、上記装置本体７Ａのゲート側側面には、人検知センサー２４が設けられており、ゲートを通過する人を監視して人がゲートを通過し終えるとそれを検知してドア５を閉じさせる信号を出力するようになっている。この人検知センサー２４は、前述の処理ユニットのゲート側側面にも設けてある。これにより、処理ユニットを取り付けてゲート長が長くなっても、人の進入をすばやく検知して不正な入場及び退場を阻止することができる。
【００３４】
さらに、図４に示すように、上記第１のデータ読取手段１、第２のデータ読取手段２、第１のシャッター駆動部１７、第２のシャッター駆動部１８、警告手段４、ドア駆動部２３及び人検知センサー２４に接続して制御手段６が設けられている。この制御手段６は、装置全体を適切に制御して駆動するものであり、第１のデータ読取手段１及び第２のデータ読取手段２の読取りデータに基づいてドアを開閉制御するドア制御手段と、第２のデータ読取手段２の読取データに基づいて回収すべきと判定したＩＣトークンの回収動作を制御する回収制御手段との制御機能を有している。また、第２のデータ読取手段２の読取データに基づいて返却すべきと判定したＩＣトークンの返却動作を制御する機能をも有している。
【００３５】
具体的には、上記ＩＣトークンが一回だけ使用可能な券であるときには、上記第１のデータ読取手段１で読み取った上記ＩＣトークンのデータに基づいて、ＩＣトークンを無効と判定してドアを閉じるように制御する。
【００３６】
また、上記ＩＣトークンが回数券であるときには、上記第１のデータ読取手段１で読み取った上記ＩＣトークンのデータに基づいて、有効利用回数が二回以上残っているときにはＩＣトークンを有効と判定してドア５を開くように制御し、有効利用回数が最後の一回となったときには無効と判定してドア５を閉じるように制御する。
【００３７】
さらに、ＩＣトークンが回数券であるとき、上記第２のデータ読取手段２で読み取った上記ＩＣトークンのデータに基づいて、有効利用回数が二回以上残っているときにはＩＣトークンを無効と判定すると共に、ＩＣトークンを返却制御するようになっている。なお、上記第１のデータ読取手段１が上記ＩＣカードのデータと上記ＩＣトークンのデータとを同時に読み取ったときには、いずれか一方のデータに基づいて有効無効を判定するようにしてもよい。
【００３８】
なお、この実施形態においては、上記装置本体７Ａ及びＩＣトークンの処理ユニットと図１においてＡ−Ａ線に対して対称形状に形成され、上記第１のデータ読取手段１、第２のデータ読取手段２、回収手段３や警告手段４を備えていない別の装置本体７Ｂとで一つのゲートを形成している。
【００３９】
次に、本発明の非接触式ゲート装置の動作を、図６及び図７を参照して説明する。
例えば、鉄道の改札口ゲートに適用した場合において、先ず、ＩＣトークンが例えば回数券であり、まだ有効利用回数が二回以上残っているような回収の必要がない場合について、図６を参照して説明する。
先ずステップ１（図６においてＳ１で示し、以下同様とする）において、第１のデータ読取手段１でＩＣカード又はＩＣトークンを検知したか否かを第１のデータ読取手段１の出力に基づいて判定する。ここで、第１のデータ読取手段１にＩＣカード又はＩＣトークンがかざされ又はタッチされたときには、上記第１のデータ読取手段１でＩＣカード又はＩＣトークンから送信されるデータを読み取ることができるので、“ＹＥＳ”判定となってステップ２に進む。
【００４０】
ステップ２においては、ＩＣカード又はＩＣトークンが有効か否かを上記第１のデータ読取手段１で読み取ったデータに基づいて判定する。この場合、例えば定期利用のＩＣカードの有効期限が経過しているときや、一時利用のＩＣトークンの有効利用回数Ｎが最後のＮ回目であるものや一回の使用に限定された利用券であって回収が必要なときや、ＩＣカードやＩＣトークンが当該装置で使用できないものであるときには、無効と判定し“ＮＯ”判定となってステップ３に進む。
【００４１】
ステップ３においては、ＩＣカード又はＩＣトークンの無効処理を実行する。具体的には、赤色のＬＥＤ２２を点灯して表示パネル１９を赤色表示とし、表示部２０にはカード等が無効である旨のメッセージを文字表示し、スピーカ部２１から例えば警告チャイムを鳴動して利用者に知らせる。このとき、ドア５は閉じられたままである。そして、ステップ１に戻って次の動作まで待機する。
【００４２】
一方、ステップ２において、ＩＣカードが有効期間内であり、またＩＣトークンの有効利用回数Ｎが（Ｎ−１）回以内であるときには、ＩＣカードやＩＣトークンは有効であると判定し“ＹＥＳ”判定となってステップ４に進む。
【００４３】
ステップ４においては、ＩＣカード又はＩＣトークンの有効処理を実行する。具体的には、青色のＬＥＤ２２を点灯して表示パネル１９を青色表示とする。また、ＩＣトークンの利用回数を積算する。そして、ステップ５に進む。
ステップ５においては、ドア駆動部２３を駆動してドア５を開く。
【００４４】
ステップ６においては、人検知センサー２４で利用者のゲート通過状態を観察し、該人検知センサー２４の出力に基づいて利用者がゲートを通過したか否かを判定する。ここで、人がゲートを通過し終えた場合には、“ＹＥＳ”判定となってステップ７に進む。
ステップ７においては、ドア駆動部２３をステップ５の場合と反対方向に駆動してドア５を閉じる。そして、ステップ１に戻って次の動作まで待機する。
一方、ステップ１において、第１のデータ読取手段１にＩＣカード又はＩＣトークンがかざされ又はタッチされていないときには、“ＮＯ”判定となってステップ８に進む。
【００４５】
ステップ８においては、第２のデータ読取手段２の投入検知センサーの出力及び読取りデータの有無に基づいて、第２のデータ読取手段２でＩＣトークンを検知したか否かを判定する。投入物を検知してから所定時間内に読取りデータがあればＩＣトークンと判断して、“ＹＥＳ”判定となってステップ９に進む。
【００４６】
ステップ９においては、ＩＣトークンの無効処理を実行する。この場合、投入口９に投入された回数券のＩＣトークンは、まだ有効利用回数を残しており、本来第１のデータ読取手段１にかざすかタッチして処理すべきところを利用者が誤って投入口９に投入してしまったものであり、この場合は無効処理を実行して表示パネル１９を赤色表示とし、スピーカ部２１で警告チャイムを鳴動し、表示部２０に例えば第１のデータ読取手段１にタッチすべき旨等のメッセージを表示する。このとき、ゲートのドア５は閉じたままとする。また、投入されたものが例えばコイン等であり、ＩＣトークンでない場合にも上述と同様の無効処理を実行する。そして、ステップ１０に進む。
【００４７】
ステップ１０においては、制御手段６は、第２のシャッター駆動部１８を駆動して第２のシャッター１５を図５において矢印Ｄ方向に開き、有効利用回数の残ったＩＣトークンやコイン等を返却口１６に返却する。そして、ステップ１に戻って、利用者の次の動作まで待機する。
【００４８】
次に、ＩＣトークンが、例えば有効利用回数Ｎが最後の一回（Ｎ回目）となった回数券や、一回の使用に限定された利用券であり回収が必要である場合について、図７を参照して説明する。
先ず、ステップ１１においては、第１のデータ読取手段１でＩＣカード又はＩＣトークンを検知したか否かを第１のデータ読取手段１の出力に基づいて判定する。ここで、第１のデータ読取手段１にＩＣカード又はＩＣトークンがかざされ又はタッチされたときには、“ＹＥＳ”判定となってステップ１２に進む。
【００４９】
ステップ１２においては、ＩＣカード又はＩＣトークンが有効か否かを上記第１のデータ読取手段１の読み取りデータに基づいて制御手段６で判定する。この場合、例えば定期利用のＩＣカードが有効期間を過ぎていたとき、回数券のＩＣトークンの有効利用回数Ｎが最後のＮ回目であるとき、ＩＣトークンが一回の使用に限定された利用券であるとき、又はＩＣカードやＩＣトークンが当該装置で使用できないものであるときには、無効と判定して“ＮＯ”判定となってステップ１３に進む。
【００５０】
ステップ１３においては、前述と同様にしてＩＣカード又はＩＣトークンの無効処理を実行する。このとき、ドア５は閉じられたままである。そして、ステップ１１に戻って次の動作まで待機する。
【００５１】
一方、ステップ１２において、ＩＣカードが有効期間内であるときには、ＩＣカードは有効であると判定し“ＹＥＳ”判定となってステップ１４に進む。
ステップ１４においては、ＩＣカードの有効処理を実行して、表示パネル１９の青色のＬＥＤ２２を点灯しパネルを青色表示とする。
【００５２】
ステップ１５においては、ドア駆動部２３を駆動してドア５を開く。
ステップ１６においては、人検知センサー２４で利用者のゲート通過状態を観察し、該人検知センサー２４の出力に基づいて利用者がゲートを通過したか否かを判定する。ここで、人がゲートを通過し終えた場合には、“ＹＥＳ”判定となってステップ１７に進む。
ステップ１７においては、ドア駆動部２３をステップ５の場合と反対方向に駆動してドア５を閉じる。そして、ステップ１１に戻って次の動作まで待機する。
【００５３】
一方、ステップ１１において、第１のデータ読取手段１にＩＣカード又はＩＣトークンがかざされ又はタッチされていないときには、“ＮＯ”判定となってステップ１８に進む。
ステップ１８においては、第２のデータ読取手段２の投入検知センサーの出力及び読取りデータの有無に基づいて、第２のデータ読取手段２でＩＣトークンを検知したか否かを判定する。投入物を検知してから所定時間内に読取りデータがあればＩＣトークンと判断して、“ＹＥＳ”判定となってステップ１９に進む。
【００５４】
ステップ１９においては、上記第２のデータ読取手段２の読み取りデータに基づいてＩＣトークンが有効か否かを判定する。ここで、投入されたＩＣトークンが、例えば有効利用回数Ｎが最後の一回（Ｎ回目）となった回数券や、一回の使用に限定された利用券であるときには、“ＹＥＳ”判定となってステップ２０に進む。
【００５５】
ステップ２０においては、前述と同様にしてＩＣトークンの有効処理を実行して、青色のＬＥＤ２２を点灯し表示パネル１９を青色表示とする。
ステップ２１においては、制御手段６は、第１のシャッター駆動部１７を駆動して第１のシャッター１２を図５に示す矢印Ｂ方向に開き、第２のデータ読取手段２近傍のガイド通路１０途中に停止したＩＣトークンを回収箱１３内に落下させる。そして、ステップ１５に進んで、ドア５を開いて入場又は退場を許可し、以下ステップ１６〜１７を実行する。
【００５６】
一方、ステップ１９において、ＩＣトークンが、利用回数が（Ｎ―１）回以内でありまだ有効利用回数を残した回数券であるときや、当該装置では使用できないＩＣトークンであるときや、又はコイン等であってＩＣトークンでないときには、“ＮＯ”判定となってステップ２２に進む。
【００５７】
ステップ２２においては、前述と同様にして無効処理を実行する。このとき、ゲートのドア５は閉じたままとする。
ステップ２３においては、制御手段６は、第２のシャッター駆動部１８を駆動して第２のシャッター１５を図５に示す矢印Ｄ方向に開き、有効利用回数の残ったＩＣトークンやコイン等を返却口１６に返却する。そして、ステップ１１に戻って、利用者の次の動作まで待機する。
【００５８】
本発明の非接触式ゲート装置によれば、第１のデータ読取手段１でかざされ又はタッチされたＩＣカード又はＩＣトークンのデータを読み取り、第２のデータ読取手段２で投入口９から投入されたＩＣトークンのデータを読み取り、それぞれ読み取ったデータに基づいて有効無効を判定するものとしたことにより、一台でＩＣカード及びＩＣトークンのいずれも使用することができる。また、投入口９から投入されたＩＣトークンを回収する回収手段３を設けたことにより、高価なＩＣトークンを容易に回収することができる。
【００５９】
なお、上記実施形態においては、ドア５は、常時閉じられている場合について説明したが、これに限られず、ドア５が常時開いている場合であってもよい。この場合、制御手段６がＩＣカード及びＩＣトークンを無効と判断したときや、利用者がＩＣカード又はＩＣトークンによる入場処理をしないままゲートに侵入したときにドア５を閉じるようにしてもよい。
【００６０】
また、上記実施形態においては、データ読取手段を第１のデータ読取手段１と第２のデータ読取手段２の二つを備えた場合について説明したが、これに限られず、データ読取手段は、一つであってもよい。この場合、データ読取手段の読取データに基づいて回収すべきＩＣトークンを検出したときには、ドアを閉状態とすると共に当該ＩＣトークンを投入口に投入するように表示部２０に表示させるとよい。
【００６１】
また、本発明の非接触式ゲート装置においては、ゲートが一つの場合について説明したが、複数のゲートが横に並べて設けられたものであってもよい。この場合、各ゲート間の装置本体７Ａには、ゲート側の両側面にドア５を設けたものを適用するとよい。また、この場合、各ゲートが入退場ゲートであるときは、表示パネル１９は、二枚を装置本体７Ａの上面の両側端部に互い違いに配設するとよい。
【００６２】
さらに、本発明の非接触式ゲート装置は、入場をチェックして退場を自由とする場所、例えば遊園地等に設置する場合には、入場門側に設置し、入場及び退場の両方をチェックする場所、例えば鉄道の改札口等に設置する場合には、出札口側に設置してＩＣトークンを回収するとよい。また、一台で入退場ゲートを構成する場合に、ＩＣトークンを入場時に回収して退場を自由とするときには、投入口９と第２のデータ読取手段２と回収手段３とを備えたＩＣトークンの処理ユニットをゲートの外側に取り付け、入場時に入場チェックし退場時に回収するときには、ゲートの内側に取り付けるとよい。
そして、定期利用の非接触式券媒体は、ＩＣカードに限られずＩＣトークンであってもよし、一時利用の非接触式券媒体は、ＩＣトークンに限られずＩＣカードであってもよい。
【図面の簡単な説明】
【００６３】
【図１】本発明による非接触式ゲート装置の実施の形態を示す平面図である。
【図２】図１のＡ−Ａ線矢視図である。
【図３】図１の側面図である。
【図４】本発明による非接触式ゲート装置の電気回路の概略構成を示すブロック図である。
【図５】第２のデータ読取手段及び回収手段を示す断面図である。
【図６】ＩＣトークンを回収しない場合の本発明による非接触式ゲート装置の動作を示すフローチャートである。
【図７】ＩＣトークンを回収する場合の本発明による非接触式ゲート装置の動作を示すフローチャートである。
【符号の説明】
【００６４】
１…第１のデータ処理手段
２…第２のデータ処理手段
３…回収手段
４…警告手段
５…ドア
６…制御手段
７Ａ…装置本体
９…投入口
【図１】
2006243836.tif 000003
【図２】
2006243836.tif 000004
【図３】
2006243836.tif 000005
【図４】
2006243836.tif 000006
【図５】
2006243836.tif 000007
【図６】
2006243836.tif 000008
【図７】
2006243836.tif 000009